(57)【要約】  成長促進及び関節と筋肉を弛緩させるベッドが開示される。本発明の好ましい一実施例による成長促進及び関節と筋肉を弛緩させるベッドは、ベッドマットレス部と、使用者の上体と下体を支持するようにマットレス部の両側に設置され、使用者の上体と下体を骨盤部分を基準として頭端部と足のツマ先方向に移動させて体を伸ばすことにより成長促進及び関節と筋肉を弛緩させる回転ローラー部とを含むことができる。その結果、成長期の乳児または小児、青少年の場合には睡眠状態で成長板が位置している骨節はもちろん全身を伸ばす人為的な刺激で成長を促進させ、成長期が終わった大人の場合には長時間立っていたり重いものを持ち上げる活動で押された関節を回復させ、肌を刺激して血液循環を促進させて筋肉を弛緩させるという効果を奏する。【選択図】図１
2017536966.tif 000002
【特許請求の範囲】
【請求項１】
ベッドマットレス部と、
使用者の上体と下体を支持するように上記マットレス部の両側に設置され、使用者の上体と下体を骨盤部分を基準として頭端部と足のツマ先方向に移動させて体を伸ばすことにより成長促進及び関節と筋肉を弛緩させる回転ローラー部とを含むベッド。
【請求項２】
前記回転ローラー部は、
前記マットレス部の一側に使用者の上体下面を支持するように設置され、ローラーの回転運動を通じて使用者の上体を頭端部方向に移動させる第１回転ローラー部と、
前記マットレス部の他側に使用者の下体下面を支持するように設置され、ローラーの回転運動を通じて使用者の下体を足のツマ先方向に移動させる第２回転ローラー部とを含む請求項１に記載のベッド。
【請求項３】
前記第１回転ローラー部は、
使用者の上体と並んで設置され、使用者の体の長さ方向の横方向に回転軸が回転可能に設置された複数の上体回転ローラーと、
前記複数の上体回転ローラーの回転軸にベルトで連結されて、前記複数の上体回転ローラーを回転させる駆動モーターとを含む請求項２に記載のベッド。
【請求項４】
前記第２回転ローラー部は、
使用者の下体と並んで設置され、使用者の体の長さ方向の横方向に回転軸が回転可能に設置される複数の下体回転ローラーと、
前記複数の下体回転ローラーの回転軸にベルトで連結されて前記複数の下体回転ローラーを回転させる駆動モーターとを含む請求項３に記載のベッド。
【請求項５】
前記上体回転ローラー、前記下体回転ローラー及び前記駆動モーターの回転軸と前記ベルトの内周面に鋸歯がそれぞれ形成されて噛み合う請求項４に記載のベッド。
【請求項６】
前記マットレス部は、
前記上体回転ローラーと前記下体回転ローラーとの間に設置され、使用者の骨盤部分を支持する中間マットレスと、
前記上体回転ローラーの下部を支持するように設置される上体マットレスと、
前記下体回転ローラーの下部を支持するように設置される下体マットレスとを含む請求項４に記載のベッド。
【請求項７】
前記第１回転ローラー部は、
使用者の上体と並んで設置され、使用者の体の長さ方向の横方向に回転軸が回転可能に設置され、前記回転軸に鋸歯が形成される複数の上体回転ローラーと、
隣接する一対の前記上体回転ローラーの間に設置され、前記上体回転ローラーの鋸歯と噛み合う複数の中間ギアと、
前記複数の中間ギアの回転軸にベルトで連結されて前記複数の中間ギアを回転させる駆動モーターとを含む請求項２に記載のベッド。
【請求項８】
前記第２回転ローラー部は、使用者の下体と並んで設置され、使用者の体の長さ方向の横方向に回転軸が回転可能に設置され、前記回転軸に鋸歯が形成される複数の下体回転ローラーと、
隣接する一対の前記下体回転ローラーの間に設置され、前記下体回転ローラーの鋸歯と噛み合う複数の中間ギアと、
前記複数の中間ギアの回転軸にベルトで連結されて前記複数の中間ギアを回転させる駆動モーターとを含む請求項７に記載のベッド。
【請求項９】
前記中間ギア及び前記駆動モーターの回転軸と前記ベルトの内周面に鋸歯がそれぞれ形成されて噛み合う請求項８に記載のベッド。
【請求項１０】
前記上体回転ローラーの回転軸及び前記下体回転ローラーの回転軸に形成された鋸歯と噛み合うように形成される前記複数の中間ギアの鋸歯の個数をそれぞれ制御することにより使用者の骨盤部分から上体の頭端部と下体の足のツマ先方向に行くほど前記上体回転ローラーと前記下体回転ローラーの回転速度を漸次に増加させることができる請求項８に記載のベッド。
【請求項１１】
前記第１回転ローラー部は、
使用者の上体と並んで設置され、使用者の体の長さ方向の横方向に回転軸が回転可能に設置され、前記回転軸に鋸歯が形成される複数の上体回転ローラーと、
隣接する一対の前記上体回転ローラーの間に設置され、前記上体回転ローラーの鋸歯と噛み合う複数の中間ギアと、
前記複数の中間ギアとそれぞれ対応するように設置され、回転軸に形成された鋸歯がギア鋸歯と噛み合って前記複数の中間ギアを回転させる複数の駆動モーターとを含む請求項２に記載のベッド。
【請求項１２】
前記第２回転ローラー部は、
使用者の下体と並んで設置され、使用者の体の長さ方向の横方向に回転軸が回転可能に設置され、前記回転軸に鋸歯が形成された複数の下体回転ローラーと、
隣接する一対の前記下体回転ローラーの間に設置され、前記下体回転ローラーの鋸歯と噛み合う複数の中間ギアと、
前記複数の中間ギアとそれぞれ対応するように設置され、回転軸に形成された鋸歯がギア鋸歯と噛み合って前記複数の中間ギアを回転させる複数の駆動モーターとを含む請求項１１に記載のベッド。
【請求項１３】
前記複数の駆動モーターの回転速度及び回転方向をそれぞれ制御することにより前記上体回転ローラーと前記下体回転ローラーの回転速度及び回転方向を自在に調節することができる請求項１２に記載のベッド。
【請求項１４】
前記上体回転ローラー及び前記下体回転ローラーは、
中央に回転軸が形成されるローラー本体と、
前記ローラー本体の外周面を囲む弾性部材と、
前記弾性部材の表面を囲む纎維部材とを含む請求項４または８または１２に記載のベッド。
【請求項１５】
前記ローラー本体はコイルスプリング管形態に形成される請求項１４に記載のベッド。
【請求項１６】
ベッドマットレス部と、
使用者の上体と下体を支持するように前記マットレス部の両側に設置され、使用者の上体と下体を骨盤部分を基準として頭端部と足のツマ先方向に移動させて体を伸ばすことにより成長促進及び関節と筋肉を弛緩させる回転ベルト部とを含むベッド。
【請求項１７】
前記回転ベルト部は、
前記マットレス部の一側に使用者の上体下面を支持するように設置され、ベルトの回転運動を通じて使用者の上体を頭端部方向に移動させる第１回転ベルト部と、
前記マットレス部の他側に使用者の下体下面を支持するように設置され、ベルトの回転運動を通じて使用者の下体を足のツマ先方向に移動させる第２回転ベルト部とを含む請求項１６に記載のベッド。
【請求項１８】
前記第１回転ベルト部は、
使用者の上体と並んで設置され、使用者の体の長さ方向の横方向に回転軸が回転可能に設置される２つのベルトプーリーと、
前記ベルトプーリーにコンベアベルト形態で巻かれる上体回転ベルトと、
前記ベルトプーリーの中の何れか一つのベルトプーリーの回転軸にベルトで連結されて、前記ベルトプーリーを回転駆動させて前記上体回転ベルトを回転させる駆動モーターとを含む請求項１７に記載のベッド。
【請求項１９】
前記第２回転ベルト部は、
使用者の下体と並んで設置され、使用者の体の長さ方向の横方向に回転軸が回転可能に設置される２つのベルトプーリーと、
前記ベルトプーリーの中の何れか一つのベルトプーリーの回転軸にベルトで連結されて、前記ベルトプーリーを回転駆動させて前記下体回転ベルトを回転させる駆動モーターとを含む請求項１８に記載のベッド。
【請求項２０】
前記上体回転ベルト及び前記下体回転ベルトの表面には凹凸部が形成されて使用者の体との接触面摩擦力を増加させる請求項１９に記載のベッド。
【請求項２１】
前記マットレス部は、
前記上体回転ベルトと前記下体回転ベルトとの間に設置され、使用者の骨盤部分を支持する中間マットレスと、
前記上体回転ベルトの内側上端下部を支持するように設置される上体マットレスと、
前記下体回転ベルトの内側上端下部を支持するように設置される下体マットレスとを含む請求項１９に記載のベッド。
【請求項２２】
使用者の体の長さ方向に複数設置されるベッドマットレスと、
前記複数のマットレスそれぞれの下部に形成される複数のラックギアと、
前記複数のマットレスそれぞれの下部に前記複数のラックギアと噛み合うように設置される複数のピニオンギアとを含み、
前記ピニオンギアの回転による前記ラックギアの水平移動によって前記複数のマットレスを使用者の上体と下体を骨盤部分を基準として頭端部と足のツマ先方向に移動させて体を伸ばすことにより成長促進及び関節と筋肉を弛緩させるベッド。
【請求項２３】
前記マットレスは使用者の関節に対応するマットレス部分を使用者の体の長さ方向に細分化されるように複数形成する請求項２２に記載のベッド。
【発明の詳細な説明】
【技術分野】
【０００１】
本発明はベッドに関し、より詳しくは、成長促進及び関節と筋肉を弛緩させるベッドに関する。
【背景技術】
【０００２】
一般に、成長期の乳児または小児、青少年の場合、成長の大部分は睡眠過程で行われる。これは成長ホルモンが睡眠状態で大部分分泌される理由もあるが、立って活動する人間は直立歩行をするため重力の影響で活動する時間には成長の制約を多く受けるからである。
【０００３】
また、成長期が終わった大人の場合には活動時に体重が受ける重力の作用により朝と夜の身長は人によって異なるが、１〜４ｃｍの差があると言われている。これは、脊椎の関節である椎間板と膝、足首、大腿部などの関節軟骨が押されて全体身長が減小してから睡眠の時に回復することを繰り返すためである。特に、長時間立っていたり重いものを持ち上げる労働をすると、関節の押されがより大きくなって負担がかかり、回復にもより多くの時間を要する。そして脊椎に無理が持続すればディスクまたは脊椎狭窄などの症状の原因につながることもある。
【０００４】
したがって、成長期の乳児または小児、青少年は睡眠状態で成長を促進し、大人は押された関節を回復し、肌を刺激して血液循環を促進させて筋肉を弛緩させることが切実に要求される。
【先行技術文献】
【特許文献】
【０００５】
【特許文献１】韓国登録特許第１０−１１０６０２１号公報
【発明の概要】
【発明が解決しようとする課題】
【０００６】
本発明が達成しようとする技術的課題は、成長期の乳児または小児、青少年の場合、睡眠状態で成長板が位置している骨節はもちろん全身を伸ばす人為的な刺激で成長を促進させることができる成長促進及び関節と筋肉を弛緩させるベッドを提供することにその目的がある。
【０００７】
本発明が達成しようとする他の技術的課題は、成長期が終わった大人の場合、長期間立っていたり重いものを持ち上げる活動で押された関節を回復させ、肌を刺激して血液循環を促進させて筋肉を弛緩させることができる成長促進及び関節と筋肉を弛緩させるベッドを提供することにその目的がある。
【課題を解決するための手段】
【０００８】
上記技術的課題を達するために、本発明の好ましい一実施例による成長促進及び関節と筋肉を弛緩させるベッドは、ベッドマットレス部と、使用者の上体と下体を支持するように上記マットレス部の両側に設置され、使用者の上体と下体を骨盤部分を基準として頭端部と足のツマ先方向に移動させて体を伸ばすことにより成長促進及び関節と筋肉を弛緩させる回転ローラー部とを含むことができる。
【０００９】
また、上記回転ローラー部は、上記マットレス部の一側に使用者の上体下面を支持するように設置され、ローラーの回転運動を通じて使用者の上体を頭端部方向に移動させる第１回転ローラー部と、上記マットレス部の他側に使用者の下体下面を支持するように設置され、ローラーの回転運動を通じて使用者の下体を足のツマ先方向に移動させる第２回転ローラー部とを含むことができる。
【００１０】
また、上記第１回転ローラー部は、使用者の上体と並んで設置され、使用者の体の長さ方向の横方向に回転軸が回転可能に設置される複数の上体回転ローラーと、上記複数の上体回転ローラーの回転軸にベルトで連結されて上記複数の上体回転ローラーを回転させる駆動モーターとを含むことができる。
【００１１】
また、上記第２回転ローラー部は、使用者の下体と並んで設置され、使用者の体の長さ方向の横方向に回転軸が回転可能に設置される複数の下体回転ローラーと、上記複数の下体回転ローラーの回転軸にベルトで連結されて上記複数の下体回転ローラーを回転させる駆動モーターとを含むことができる。
【００１２】
また、上記上体回転ローラー、上記下体回転ローラー及び上記駆動モーターの回転軸と上記ベルトの内周面に鋸歯がそれぞれ形成されて噛み合うことができる。
【００１３】
また、上記マットレス部は、上記上体回転ローラーと上記下体回転ローラーとの間に設置され、使用者の骨盤部分を支持する中間マットレスと、上記上体回転ローラーの下部を支持するように設置される上体マットレスと、上記下体回転ローラーの下部を支持するように設置される下体マットレスとを含むことができる。
【００１４】
また、本発明の好ましい他の実施例による上記第１回転ローラー部は、使用者の上体と並んで設置され、使用者の体の長さ方向の横方向に回転軸が回転可能に設置され、上記回転軸に鋸歯が形成される複数の上体回転ローラーと、隣接する一対の上記上体回転ローラーの間に設置され、上記上体回転ローラーの鋸歯と噛み合う複数の中間ギアと、上記複数の中間ギアの回転軸にベルトで連結されて上記複数の中間ギアを回転させる駆動モーターとを含むことができる。
【００１５】
また、上記第２回転ローラー部は、使用者の下体と並んで設置され、使用者の体の長さ方向の横方向に回転軸が回転可能に設置され、上記回転軸に鋸歯が形成される複数の下体回転ローラーと、隣接する一対の上記下体回転ローラーの間に設置され、上記下体回転ローラーの鋸歯と噛み合う複数の中間ギアと、上記複数の中間ギアの回転軸にベルトで連結されて上記複数の中間ギアを回転させる駆動モーターとを含むことができる。
【００１６】
また、上記中間ギア及び上記駆動モーターの回転軸と上記ベルトの内周面に鋸歯がそれぞれ形成されて噛み合うことができる。
【００１７】
また、上記上体回転ローラーの回転軸及び上記下体回転ローラーの回転軸に形成された鋸歯と噛み合うように形成される上記複数の中間ギアの鋸歯の個数をそれぞれ制御することにより使用者の骨盤部分から上体の頭端部と下体の足のツマ先方向に行くほど上記上体回転ローラーと上記下体回転ローラーの回転速度を漸次に増加させることができる。
【００１８】
また、本発明の好ましい他の実施例による上記第１回転ローラー部は、使用者の上体と並んで設置され、使用者の体の長さ方向の横方向に回転軸が回転可能に設置され、上記回転軸に鋸歯が形成される複数の上体回転ローラーと、隣接する一対の上記上体回転ローラーの間に設置され、上記上体回転ローラーの鋸歯と噛み合う複数の中間ギアと、上記複数の中間ギアとそれぞれ対応するように設置され、回転軸に形成された鋸歯がギア鋸歯と噛み合って上記複数の中間ギアを回転させる複数の駆動モーターとを含むことができる。
【００１９】
また、上記第２回転ローラー部は、使用者の下体と並んで設置され、使用者の体の長さ方向の横方向に回転軸が回転可能に設置され、上記回転軸に鋸歯が形成される複数の下体回転ローラーと、隣接する一対の上記下体回転ローラーの間に設置され、上記下体回転ローラーの鋸歯と噛み合う複数の中間ギアと、上記複数の中間ギアとそれぞれ対応するように設置され、回転軸に形成された鋸歯がギア鋸歯と噛み合って上記複数の中間ギアを回転させる複数の駆動モーターとを含むことができる。
【００２０】
また、上記複数の駆動モーターの回転速度及び回転方向をそれぞれ制御することにより上記上体回転ローラーと上記下体回転ローラーの回転速度及び回転方向を自在に調節することができる。
【００２１】
また、上記上体回転ローラー及び上記下体回転ローラーは、中央に回転軸が形成されるローラー本体と、上記ローラー本体の外周面を囲む弾性部材と、上記弾性部材の表面を囲む纎維部材とを含むことができる。
【００２２】
また、上記ローラー本体はコイルスプリング管形態で形成されることができる。
【００２３】
また、本発明の好ましい他の実施例による成長促進及び関節と筋肉を弛緩させるベッドは、ベッドマットレス部と、使用者の上体と下体を支持するように上記マットレス部の両側に設置され、使用者の上体と下体を骨盤部分を基準として頭端部と足のツマ先方向に移動させて体を伸ばすことにより成長促進及び関節と筋肉を弛緩させる回転ベルト部とを含むことができる。
【００２４】
また、上記回転ベルト部は、上記マットレス部の一側に使用者の上体下面を支持するように設置され、ベルトの回転運動を通じて使用者の上体を頭端部方向に移動させる第１回転ベルト部と、上記マットレス部の他側に使用者の下体下面を支持するように設置され、ベルトの回転運動を通じて使用者の下体を足のツマ先方向に移動させる第２回転ベルト部とを含むことができる。
【００２５】
また、上記第１回転ベルト部は、使用者の上体と並んで設置され、使用者の体の長さ方向の横方向に回転軸が回転可能に設置される２つのベルトプーリーと、上記ベルトプーリーにコンベアベルト形態で巻かれる上体回転ベルトと、上記ベルトプーリーの中の何れか一つのベルトプーリーの回転軸にベルトで連結されて上記ベルトプーリーを回転駆動させて上記上体回転ベルトを回転させる駆動モーターとを含むことができる。
【００２６】
また、上記第２回転ベルト部は、使用者の下体と並んで設置され、使用者の体の長さ方向の横方向に回転軸が回転可能に設置される２つのベルトプーリーと、上記ベルトプーリーにコンベアベルト形態で巻かれる下体回転ベルトと、上記ベルトプーリーの中の何れか一つのベルトプーリーの回転軸にベルトで連結され、上記ベルトプーリーを回転駆動させて上記下体回転ベルトを回転させる駆動モーターとを含むことができる。
【００２７】
また、上記上体回転ベルト及び上記下体回転ベルトの表面には凹凸部が形成されて使用者の体との接触面摩擦力を増加させることができる。
【００２８】
また、上記マットレス部は、上記上体回転ベルトと上記下体回転ベルトとの間に設置され、使用者の骨盤部分を支持する中間マットレスと、上記上体回転ベルトの内側上端下部を支持するように設置される上体マットレスと、上記下体回転ベルトの内側上端下部を支持するように設置される下体マットレスとを含むことができる。
【００２９】
また、本発明の好ましい他の実施例による成長促進及び関節と筋肉を弛緩させるベッドは、使用者の体の長さ方向に複数設置されるベッドマットレスと、上記複数のマットレスそれぞれの下部に形成される複数のラックギアと、上記複数のマットレスそれぞれの下部に上記複数のラックギアと噛み合うように設置される複数のピニオンギアとを含み、上記ピニオンギアの回転による上記ラックギアの水平移動によって上記複数のマットレスを使用者の上体と下体を骨盤部分を基準として頭端部と足のツマ先方向に移動させて体を伸ばすことにより成長促進及び関節と筋肉を弛緩させることができる。
【００３０】
また、上記マットレスは使用者の関節に対応するマットレス部分を使用者の体の長さ方向に細分化されるように複数形成することができる。
【発明の効果】
【００３１】
本発明の成長促進及び関節と筋肉を弛緩させるベッドによれば、上体回転ローラーと下体回転ローラーが回転しながら使用者の上体と下体を骨盤部分を基準として頭端部と足のツマ先方向に移動させて体を伸ばすことにより、成長期の乳児または小児、青少年の場合には睡眠状態で成長板が位置している骨節はもちろん全身を伸ばす人為的な刺激で成長を促進させるという効果を奏する。
【００３２】
また、活動中に重力の影響で押されていた関節を原状に回復させ、肌に摩擦を与えて血液循環を促進させて、成長促進の間接効果も期待することができる。
【００３３】
また、成長期が終わった大人の場合には長時間立っていたり重いものを持ち上げる活動で押された関節を回復させ、肌を刺激して血液循環を促進させて筋肉を弛緩させる効果を期待することができる。特に、非睡眠状態で回転ローラーの速度及び方向を調節して体の部分または全身をマッサージすることができるという効果を奏する。
【００３４】
また、本発明は上体回転ベルトと下体回転ベルトが回転しながら使用者の上体と下体を骨盤部分を基準として頭端部と足のツマ先方向に水平移動させて体を伸ばすことにより成長促進及び関節と筋肉を弛緩させるという効果を奏する。
【００３５】
また、本発明はピニオンギアの回転によるラックギアの水平移動によって複数のマットレスを独立的に移動させることにより、使用者の上体と下体を骨盤部分を基準として頭端部と足のツマ先方向に移動させて体を伸ばし、それにより成長促進及び関節と筋肉を弛緩させるという効果を奏する。
【図面の簡単な説明】
【００３６】
【図１】本発明の好ましい第１実施例による成長促進及び関節と筋肉を弛緩させるベッドの斜視図である。
【図２】本発明の好ましい第１実施例による成長促進及び関節と筋肉を弛緩させるベッドの側面構成図である。
【図３】（a）は本発明の好ましい第１実施例によるベッドに備えられる回転ローラーの断面図、（b）はローラー本体の斜視図、（c）は回転ローラーが鋸歯ベルトによって回転する構造を示す斜視図である。
【図４】本発明の好ましい第２実施例による成長促進及び関節と筋肉を弛緩させるベッドの側面構成図である。
【図５】本発明の好ましい第３実施例による成長促進及び関節と筋肉を弛緩させるベッドの側面構成図である。
【図６】本発明の好ましい第４実施例による成長促進及び関節と筋肉を弛緩させるベッドの斜視図である。
【図７】本発明の好ましい第４実施例による成長促進及び関節と筋肉を弛緩させるベッドの側面構成図である。
【図８】本発明の好ましい第５実施例による成長促進及び関節と筋肉を弛緩させるベッドの斜視図である。
【図９】本発明の好ましい第５実施例による成長促進及び関節と筋肉を弛緩させるベッドの側面構成図である。
【発明を実施するための形態】
【００３７】
本発明の利点及び特徴、そしてそれらを達するための方法は添付された図面とともに詳細に後述される実施例を参照すれば明確に理解し得る。しかしながら、本発明は以下で開示される実施例に限定されるのではなく互いに異なる多様な形態で具現されることができる。ただ本実施例は本発明の開示が完全になるようにし、本発明が属する技術分野において通常の知識を有する者に発明の範疇を完全に知らせるために提供されるものであり、本発明は請求項の範疇によって定義されるだけである。明細書全体にかけて同じ参照符号は同じ構成要素を指称する。
【００３８】
以下、添付された図面を参照して本発明の好ましい実施例による成長促進及び関節と筋肉を弛緩させるベッドを詳しく説明する。参考に本発明を説明する際に係わる公知機能或いは構成に対する具体的な説明が本発明の要旨を不必要に曖昧にさせる虞があると判断される場合その詳細な説明を省略する。
【００３９】
図１は本発明の好ましい第１実施例による成長促進及び関節と筋肉を弛緩させるベッドの斜視図であり、図２は本発明の好ましい第１実施例による成長促進及び関節と筋肉を弛緩させるベッドの側面構成図である。
図１及び図２に示すように、本発明の好ましい第１実施例による成長促進及び関節と筋肉を弛緩させるベッド１０００は、ベッドマットレス部１１００及び回転ローラー部１２００を含んで構成されることができる。
ベッドマットレス部１１００はベッドフレーム１００１の上部に設置される。マットレス部１１００は使用者１の体を弾性支持することができるように内部に複数のコイルスプリング１１０１が直立されるように設置され、複数のコイルスプリング１１０１は使用者１に左右に搖れない楽さを提供するためにポケットスプリング形態に製作されることができる。このようなマットレス部１１００は公知技術で理解することができるので、その構成に対する詳細な説明は省略する。マットレス部１１００は後述する第１回転ローラー部１２１０と第２回転ローラー部１２２０との間に設置されて使用者１の尻及び骨盤部分を支持する中間マットレス１１１０を含むことができる。
【００４０】
回転ローラー部１２００は使用者１の上体２と下体３とを支持するようにマットレス部１１００の両側に設置される。このような回転ローラー部１２００は使用者の上体２と下体３を骨盤部分を基準として頭端部と足のツマ先方向に移動させて体を伸ばすことにより成長促進及び関節と筋肉を弛緩させる役割を果たす。回転ローラー部１２００はマットレス部１１００の一側に使用者１の上体２の下面を支持するように設置されて、ローラーの回転運動を通じて使用者１の上体２を頭端部方向に移動させる第１回転ローラー部１２１０と、マットレス部１１００の他側に使用者１の下体３の下面を支持するように設置されて、ローラーの回転運動を通じて使用者１の下体３を足のツマ先方向に移動させる第２回転ローラー部１２２０とで構成されることができる。第１回転ローラー部１２１０は使用者１の上体２と並んで設置されて、使用者１の体の長さ方向の横方向に回転軸１２１１ａが回転可能に設置される複数の上体回転ローラー１２１１と、複数の上体回転ローラー１２１１の回転軸１２１１ａにベルト１２１３で連結されて、複数の上体回転ローラー１２１１を回転させる駆動モーター１２１５とで構成されることができる。また、図示しなかったが、駆動モーター１２１５の回転軸１２１５ａと連結される減速ギアを追加し、減速ギアにベルト１２１３が連結されるように構成することにより、上体回転ローラー１２１１の回転速度を適切に調節することができる。複数の上体回転ローラー１２１１の回転軸１２１１ａと駆動モーター１２１５の回転軸１２１５ａは第１回転ローラー部１２１０の側面に設置された固定パネル１２１７に回転可能に支持される。この時、固定パネル１２１７は複数の上体回転ローラー１２１１の回転軸１２１１ａを上下方向に所定間隔隔てて支持することにより上体回転ローラー１２１１に弾性を付与することができる。または、固定パネル１２１７自体が上下に所定間隔隔てるようにすることにより上体回転ローラー１２１１を弾性的に支持することもできる。また、上体回転ローラー１２１１の下部を支持するように上体マットレス１１２０が設置されることができる。第２回転ローラー部１２２０は使用者１の下体３と並んで設置され、使用者１の体の長さ方向の横方向に回転軸１２２１ａが回転可能に設置される複数の下体回転ローラー１２２１と、複数の下体回転ローラー１２２１の回転軸１２２１ａにベルト１２２３で連結され、複数の下体回転ローラー１２２１を回転させる駆動モーター１２２５とで構成されることができる。また、図示しなかったが、駆動モーター１２２５の回転軸１２２５ａと連結される減速ギアを追加し、減速ギアにベルト１２１３が連結されるように構成することにより、下体回転ローラー１２２１の回転速度を適切に調節することができる。複数の下体回転ローラー１２２１の回転軸１２２１ａと駆動モーター１２２５の回転軸１２２５ａは第２回転ローラー部１２２０の側面に設置された固定パネル１２２７に回転可能に支持される。この時、固定パネル１２２７は複数の下体回転ローラー１２２１の回転軸１２２１ａを上下方向に所定間隔隔てて支持することにより下体回転ローラー１２２１に弾性を付与することができる。または、固定パネル１２２７自体が上下に所定間隔隔てるようにすることにより下体回転ローラー１２２１を弾性的に支持することもできる。また、下体回転ローラー１２２１の下部を支持するように下体マットレス１１３０が設置されることができる。上体回転ローラー１２１１と下体回転ローラー１２２１はベッドの一側に設置された制御パネル１００３またはリモコンを通じてローラーの回転方向及び回転速度などを調節することができる。
【００４１】
図３の（a）、（b）及び（c）は、本発明の好ましい第１実施例によるベッドに備えられる回転ローラーの断面図、ローラー本体の斜視及び回転ローラーが鋸歯ベルトによって回転する構造を示す斜視図である。
図３（ａ）に示すように、上体回転ローラー１２１１と下体回転ローラー１２２１は中央にローラー回転軸１２１１ａ、１２２１ａが形成される円筒状のローラー本体１２０１と、ローラー本体１２０１の外周面を囲む弾性部材１２０３、例えばスポンジ、ラテックス、メモリフォームなどのような弾性素材と、弾性部材１２０３の表面を囲む纎維部材１２０５、例えば肌に直接触れても無害な材質のタオルのような形態の綿または纎維で構成されることができる。また、図示しなかったが、上体回転ローラー１２１１と下体回転ローラー１２２１は温熱と振動機能を追加することにより成長促進及び関節と筋肉を弛緩させる効果を極大化することができる。このような温熱と振動機能を有するローラー構造は公知の技術で理解することができるので、詳細な説明は省略する。また、上体回転ローラー１２１１と下体回転ローラー１２２１は駆動モーター１２１５、１２２５の回転駆動を制御することによりローラーの回転方向と回転速度などを調節することができ、使用者１の体の条件、例えば身長に合わせてローラーの大きさや個数を調節することができる。また、ローラー本体１２０１は通常の中空円筒状管または中実円形棒形状に形成されるが、これに限定されないで、図３（ｂ）に示すように、ローラー本体１２０１は使用者の体を弾性的に支持することができるようにコイルスプリング管１２０１ａ形態に形成されることができる。また、ローラー本体１２０１はコイルスプリング管１２０１ａの形状に限定されず、その他の弾性を有する管や棒でも形成されることができる。そして、図３（ｃ）に示すように、上体回転ローラー１２１１の回転軸１２１１ａ 及び下体回転ローラー１２２１の回転軸１２２１ａと、駆動モーター１２１５の回転軸１２１５ａ及び駆動モーター１２２５の回転軸１２２５ａと、ベルト１２１３、１２２３の内周面には鋸歯がそれぞれ形成されることができる。それによって、駆動モーター１２１５、１２２５が回転駆動すれば駆動モーター１２１５の回転軸１２１５ａ及び駆動モーター１２２５の回転軸１２２５ａに形成された鋸歯がベルト１２１３、１２２３の内周面に形成された鋸歯と噛み合ってベルト１２１３、１２２３をキャタピラーで回転させるようになり、ベルト１２１３、１２２３の鋸歯が上体回転ローラー１２１１の回転軸１２１１ａ と下体回転ローラー１２２１の回転軸１２２１ａに形成された鋸歯と噛み合って上体回転ローラー１２１１と下体回転ローラー１２２１を回転させる。
【００４２】
上記のように構成される本発明の好ましい第１実施例による成長促進及び関節と筋肉を弛緩させるベッド１０００は、上体回転ローラー１２１１を一方向に、例えば図２で時計回り方向に回転させると上体回転ローラー１２１１の回転運動によって使用者１の上体２は頭端部方向に水平移動する。また、上体回転ローラー１２１１の回転と同時に下体回転ローラー１２２１を上体回転ローラー１２１１の回転方向と反対方向に、例えば図２で反時計回り方向に回転させると下体回転ローラー１２２１の回転運動によって使用者１の下体３は足のツマ先方向に水平移動する。即ち、上体回転ローラー１２１１と下体回転ローラー１２２１が回転しながら使用者１の上体２と下体３を骨盤部分を基準として頭端部と足のツマ先方向に移動させて体を伸ばす。従って、成長期の乳児または小児、青少年の場合には睡眠状態で成長板が位置している骨節はもちろん全身を伸ばす人為的な刺激で成長を促進させるという効果を奏する。また、活動中に重力の影響で押されていた関節を原状に回復させ、肌に摩擦を与えて血液循環を促進させて成長促進の間接効果も期待することができる。また、成長期が終わった大人の場合には長時間立っていたり重いものを持ち上げる活動で押された関節を回復させ、肌を刺激して血液循環を促進させ、筋肉を弛緩させる効果を期待することができる。
【００４３】
図４は本発明の好ましい第２実施例による成長促進及び関節と筋肉を弛緩させるベッドの側面構成図である。
図４に示すように、本発明の好ましい第２実施例による成長促進及び関節と筋肉を弛緩させるベッド２０００は、ベッドマットレス部２１００及び回転ローラー部２２００を含み、上記回転ローラー部２２００を除き図１〜図３を参照して説明した上記第１実施例と同じである。従って、第１実施例と同じ機能を果たす構成要素、ベッドマットレス部２１００に対する詳細な説明は省略する。以下では第１実施例と相異する構成である回転ローラー部２２００についてのみ具体的に説明する。
回転ローラー部２２００は使用者１の上体２と下体３とを支持するようにマットレス部２１００の両側に設置される。回転ローラー部２２００はマットレス部２１００の一側に使用者１の上体２の下面を支持するように設置されてローラーの回転運動を通じて使用者１の上体２を頭端部方向に移動させる第１回転ローラー部２２１０と、マットレス部２１００の他側に使用者１の下体３の下面を支持するように設置されてローラーの回転運動を通じて使用者１の下体３０を足のツマ先方向に移動させる第２回転ローラー部２２２０とで構成されることができる。第１回転ローラー部２２１０は使用者１の上体２と並んで設置され、使用者１の体の長さ方向の横方向に回転軸２２１１ａが回転可能に設置され、回転軸２２１１ａに鋸歯が形成される複数の上体回転ローラー２２１１と、隣接する一対の上体回転ローラー２２１１の間に設置され、上体回転ローラー２２１１の鋸歯と噛み合う複数の中間ギア２２１３と、複数の中間ギア２２１３の回転軸２２１３ａにベルト２２１５で連結されて複数の中間ギア２２１３を回転させる駆動モーター２２１７とで構成されることができる。第２回転ローラー部２２２０は使用者１の下体３と並んで設置され、使用者１の体の長さ方向の横方向に回転軸２２２１ａが回転可能に設置され、回転軸２２２１ａに鋸歯が形成される複数の下体回転ローラー２２２１と、隣接する一対の下体回転ローラー２２２１の間に設置され、下体回転ローラー２２２１の鋸歯と噛み合う複数の中間ギア２２２３と、複数の中間ギア２２２３の回転軸２２２３ａにベルト２２２５で連結されて複数の中間ギア２２２３を回転させる駆動モーター２２２７とで構成されることができる。図示しなかったが、上体回転ローラー２２１１と下体回転ローラー２２２１の下部を支持するように上体マットレスと下体マットレスがそれぞれ設置されることができる。また、図示しなかったが、中間ギア２２１３の回転軸２２１３ａ及び中間ギア２２２３の回転軸２２２３ａと、駆動モーター２２１７の回転軸２２１７ａ及び駆動モーター２２２７の回転軸２２２７ａと、ベルト２２１５、２２２５の内周面に鋸歯が形成されることができる。それによって、駆動モーター２２１７、２２２７が回転駆動すれば駆動モーター２２１７の回転軸２２１７ａ及び駆動モーター２２２７の回転軸２２２７ａに形成された鋸歯がベルト２２１５、２２２５の内周面に形成された鋸歯と噛み合ってベルト２２１５、２２２５をキャタピラーで回転させ、ベルト２２１５、２２２５の鋸歯が中間ギア２２１３の回転軸２２１３ａと中間ギア２２２３の回転軸２２２３ａに形成された鋸歯と噛み合って中間ギア２２１３、２２２３を回転させることによって中間ギア２２１３、２２２３の鋸歯と噛み合う上体回転ローラー２２１１と下体回転ローラー２２２１を回転させる。
【００４４】
上記のように構成される本発明の好ましい第２実施例による成長促進及び関節と筋肉を弛緩させるベッド２０００は、上体回転ローラー２２１１と下体回転ローラー２２２１が回転しながら使用者１の上体２と下体３を骨盤部分を基準として頭端部と足のツマ先方向に移動させて体を伸ばすことにより成長促進及び関節と筋肉を弛緩させるという効果を奏する。特に、上体回転ローラー２２１１の回転軸及び下体回転ローラー２２２１の回転軸に形成された鋸歯と噛み合うように形成される中間ギア２２１３、２２２３の鋸歯の個数をそれぞれ制御して使用者１の骨盤部分から上体２の頭端部と下体３の足のツマ先方向に行くほど上体回転ローラー２２１１と下体回転ローラー２２２１の回転速度を漸次に増加させ、それにより成長促進及び関節と筋肉を弛緩する効果をさらに増大させることができる。例えば、上体回転ローラー２２１１と下体回転ローラー２２２１は回転軸２２１１ａ、２２２１ａに鋸歯の個数を同一に形成し、中間ギア２２１３、２２２３は使用者１の骨盤部分から上体２頭端部と下体３足のツマ先方向に行くほど鋸歯の個数をよりたくさん形成すると、上体回転ローラー２２１１及び下体回転ローラー２２２１と中間ギア２２１３、２２２３の鋸歯比が大きくなって上体２の頭端部と下体３の足のツマ先方向に行くほど上体回転ローラー２２１１と下体回転ローラー２２２１の回転速度が漸次に増加する。
【００４５】
図５は本発明の好ましい第３実施例による成長促進及び関節と筋肉を弛緩させるベッドの側面構成図である。
図５に示すように、本発明の好ましい第３実施例による成長促進及び関節と筋肉を弛緩させるベッド３０００は、ベッドマットレス部３１００及び回転ローラー部３２００を含み、上記回転ローラー部３２００を除き図４を参照して説明された上記第２実施例と同じである。従って、第２実施例と同じ機能を果たす構成要素、ベッドマットレス部３１００に対しては詳細な説明を省略する。以下では第２実施例と相異する構成である回転ローラー部３２００についてのみ具体的に説明する。
回転ローラー部３２００は使用者１の上体２と下体３を支持するようにマットレス部３１００の両側に設置される。回転ローラー部３２００はマットレス部３１００の一側に使用者１の上体２の下面を支持するように設置されてローラーの回転運動を通じて使用者１の上体２を頭端部方向に移動させる第１回転ローラー部３２１０と、マットレス部３１００の他側に使用者１の下体３の下面を支持するように設置されてローラーの回転運動を通じて使用者１の下体３を足のツマ先方向に移動させる第２回転ローラー部３２２０とで構成されることができる。第１回転ローラー部３２１０は使用者１の上体２と並んで設置され、使用者１の体の長さ方向の横方向に回転軸３２１１ａが回転可能に設置され、回転軸３２１１ａに鋸歯が形成される複数の上体回転ローラー３２１１と、隣接する一対の上体回転ローラー３２１１の間に設置され、上体回転ローラー３２１１の鋸歯と噛み合う複数の中間ギア３２１３と、複数の中間ギア３２１３とそれぞれ対応するように設置され、回転軸３２１５ａに形成された鋸歯がギア鋸歯と噛み合って複数の中間ギア３２１３を回転させる複数の駆動モーター３２１５とで構成されることができる。第２回転ローラー部３２２０は使用者１の下体３と並んで設置され、使用者１の体の長さ方向の横方向に回転軸３２２１ａが回転可能に設置され、回転軸３２２１ａに鋸歯が形成される複数の下体回転ローラー３２２１と、隣接する一対の下体回転ローラー３２２１の間に設置され、下体回転ローラー３２２１の鋸歯と噛み合う複数の中間ギア３２２３と、複数の中間ギア３２２３とそれぞれ対応するように設置され、回転軸３２２５ａに形成された鋸歯がギア鋸歯と噛み合って複数の中間ギア３２２３を回転させる複数の駆動モーター３２２５とで構成されることができる。
【００４６】
上記のように構成される本発明の好ましい第３実施例による成長促進及び関節と筋肉を弛緩させるベッド３０００は、上体回転ローラー３２１１と下体回転ローラー３２２１が回転しながら使用者１の上体２と下体３を骨盤部分を基準として頭端部と足のツマ先方向に移動させて体を伸ばすことにより成長促進及び関節と筋肉を弛緩させるという効果を奏する。特に、駆動モーター３２１５、３２２５の回転速度及び回転方向をそれぞれ制御することにより上体回転ローラー３２１１と下体回転ローラー３２２１の回転速度及び回転方向を自在に調節することができる。その結果、非睡眠時または活動中にも体の部位別に回転ローラーの回転速度及び回転方向をそれぞれ調節することにより使用者の体のマッサージ効果を極大化することができる。
【００４７】
図６は本発明の好ましい第４実施例による成長促進及び関節と筋肉を弛緩させるベッドの斜視図であり、図７は本発明の好ましい第４実施例による成長促進及び関節と筋肉を弛緩させるベッドの側面構成図である。
図６及び図７に示すように、本発明の好ましい第４実施例による成長促進及び関節と筋肉を弛緩させるベッド４０００はベッドマットレス部４１００及び回転ベルト部４２００を含んで構成されることができる。
ベッドマットレス部４１００はベッドフレーム４００１の上部に設置される。マットレス部４１００は後述する第１回転ベルト部４２１０と第２回転ベルト部４２２０との間に設置されて使用者の尻及び骨盤部分を支持する中間マットレス４１１０を含むことができる。
回転ベルト部４２００は使用者１の上体２と下体３を支持するようにマットレス部４１００の両側に設置される。このような回転ベルト部４２００は使用者１の上体２と下体３を骨盤部分を基準として頭端部と足のツマ先方向に移動させて体を伸ばすことにより成長促進及び関節と筋肉を弛緩させる役割を果たす。回転ベルト部４２００はマットレス部４１００の一側に使用者１の上体２の下面を支持するように設置され、ベルトの回転運動を通じて使用者１の上体２を頭端部方向に移動させる第１回転ベルト部４２１０と、マットレス部４１００の他側に使用者１の下体３の下面を支持するように設置され、ベルトの回転運動を通じて使用者１の下体３を足のツマ先方向に移動させる第２回転ベルト部４２２０とで構成されることができる。第１回転ベルト部４２１０は使用者１の上体２と並んで設置され、使用者１の体の長さ方向の横方向に回転軸が回転可能に設置される２つのベルトプーリー４２１１と、２つのベルトプーリー４２１１にコンベアベルト形態で巻かれる上体回転ベルト４２１３と、ベルトプーリー４２１１の中の何れか一つのベルトプーリーの回転軸４２１１ａにベルト４２１５で連結され、ベルトプーリー４２１１を回転駆動させて上体回転ベルト４２１３を回転させる駆動モーター４２１７とで構成されることができる。ベルトプーリー４２１１の回転軸４２１１ａと駆動モーター４２１７の回転軸４２１７ａは第１回転ベルト部４２１０の側面に設置された固定パネル４２１９に回転可能に支持される。また、上体回転ベルト４２１３の内側上端下部を支持するように上体マットレス４１２０が設置されることができる。第２回転ベルト部４２２０は使用者１の下体３と並んで設置され、使用者１の体の長さ方向の横方向に回転軸４２２１ａが回転可能に設置される２つのベルトプーリー４２２１と、２つのベルトプーリー４２２１にコンベアベルト形態で巻かれる下体回転ベルト４２２３と、ベルトプーリー４２２１の中の何れか一つのベルトプーリーの回転軸４２２１ａにベルト４２２５で連結され、ベルトプーリー４２２１を回転駆動させて下体回転ベルト４２２３を回転させる駆動モーター４２２７とで構成されることができる。ベルトプーリー４２２１の回転軸４２２１ａと駆動モーター４２２７の回転軸４２２７ａは第２回転ベルト部４２２０の側面に設置された固定パネル４２２９に回転可能に支持される。また、下体回転ベルト４２２３の内側上端下部を支持するように下体マットレス４１３０が設置されることができる。そして、上体回転ベルト４２１３と下体回転ベルト４２２３は使用者の体との接触面摩擦力を増加させるためにベルトの表面に凹凸部４２０１が形成されることが好ましい。例えば、上体回転ベルト４２１３と下体回転ベルト４２２３の表面にベルトの移動方向に沿って凸部４２０１ａと凹部４２０１ｂを連続的に繰り返し形成して凹凸部４２０１を構成することができる。図示しなかったが、上体回転ベルト４２１３と下体回転ベルト４２２３は弾性部を形成することができるが、例えばベルト本体と、ベルト本体の表面を囲む弾性部材、例えばスポンジ、ラテックス、メモリフォームなどのような弾性素材と、弾性部材の表面を囲む纎維部材、例えば肌に直接触れても無害な材質のタオルのような形態の綿または纎維で上体回転ベルト４２１３と下体回転ベルト４２２３を構成することができる。また、ベルトプーリー４２１１、４２２１の外周面には上体回転ベルト４２１３と下体回転ベルト４２２３の凹凸凹部４２０１ｂに挿入される突部４２１１ｂ、４２２１ｂを複数形成することによりベルトプーリー４２１１、４２２１が上体回転ベルト４２１３及び下体回転ベルト４２２３と噛み合って回転するように構成することができる。また、図示しなかったが、ベルトプーリー４２１１の回転軸４２１１ａ及びベルトプーリー４２２１の回転軸４２２１ａと、駆動モーター４２１７の回転軸４２１７ａ及び駆動モーター４２２７の回転軸４２２７ａと、ベルト４２１５、４２２５の内周面には鋸歯が形成されることができる。それによって、駆動モーター４２１７、４２２７が回転駆動すれば駆動モーター４２１７の回転軸４２１７ａ及び駆動モーター４２２７の回転軸４２２７ａに形成された鋸歯がベルト４２１５、４２２５の内周面に形成された鋸歯と噛み合ってベルト４２１５、４２２５をキャタピラーで回転させ、ベルト４２１５、４２２５の鋸歯がベルトプーリー４２１１の回転軸４２１１ａ及びベルトプーリー４２２１の回転軸４２２１ａに形成された鋸歯と噛み合ってベルトプーリー４２１１、４２２１を回転させることにより上体回転ベルト４２１３と下体回転ベルト４２２３を回転させる。また、上体回転ベルト４２１３と下体回転ベルト４２２３はベッドの一側に設置された制御パネル４００３またはリモコンを通じてベルトの回転方向及び回転速度などを調節することができる。
【００４８】
上記のように構成される本発明の好ましい第４実施例による成長促進及び関節と筋肉を弛緩させるベッド４０００は、上体回転ベルト４２１３を一方向に、例えば図７で時計回り方向に回転させれば上体回転ベルト４２１３のコンベヤー回転運動によって使用者１の上体２は頭端部方向に水平移動する。また、上体回転ベルト４２１３の回転と同時に下体回転ベルト４２２３を上体回転ベルト４２１３の回転方向と反対方向に、例えば図７で反時計回り方向に回転させると、下体回転ベルト４２２３のコンベヤー回転運動によって使用者１の下体３は足のツマ先方向に水平移動する。即ち、上体回転ベルト４２１３と下体回転ベルト４２２３が回転しながら使用者１の上体２と下体３を骨盤部分を基準として頭端部と足のツマ先方向に水平移動させて体を伸ばすことにより成長促進及び関節と筋肉を弛緩させる効果を奏する。
【００４９】
図８は本発明の好ましい第５実施例による成長促進及び関節と筋肉を弛緩させるベッドの斜視図であり、図９は本発明の好ましい第５実施例による成長促進及び関節と筋肉を弛緩させるベッドの側面構成図である。
図８及び図９に示すように、本発明の好ましい第５実施例による成長促進及び関節と筋肉を弛緩させるベッド５０００は複数のベッドマットレス５１００、ラックギア５２００及びピニオンギア５３００を含んで構成されることができる。
ベッドマットレス５１００はベッドフレーム５００１の上部に使用者１の体の長さ方向に複数設置される。複数のマットレス５１００は互いに分離して独立的に設置されるか、図示しなかったが、複数のマットレス５１００の間に畳み形態またはスプリング構造の連結部材で互いに連結されるように設置されることができる。また、マットレス５１００は使用者の関節に対応するマットレス部分を使用者の体の長さ方向に細分化されるように複数形成することができる。例えば、使用者１の腰関節部分を支持するマットレス５１００の体方向長さを太ももまたはふくらはぎ部分を支持するマットレス５１００の体方向の長さより短く形成することができるように複数にさらに細分化することができる。
ラックギア（ｒａｃｋ  ｇｅａｒ）５２００は複数のマットレス５１００それぞれの下部に水平ギア形態で複数設置される。
ピニオンギア（ｐｉｎｉｏｎ  ｇｅａｒ）５３００は複数のマットレス５１００それぞれの下部に複数のラックギア５２００と噛み合うように円形ギア形態に複数設置される。複数のピニオンギア５３００は下部フレーム５４００に形成された複数のギア装着溝５４００ａにそれぞれ挿入されて回転可能に設置される。ピニオンギア５３００はベッドの一側に設置された制御パネル５００３またはリモコンを通じてギアの回転方向及び回転速度などを調節することができる。
このようなラックギア５２００とピニオンギア５３００は回転運動を水平運動（またはその反対に）に変えるギア装置として、公知の技術として理解することができるので詳細な説明は省略する。
【００５０】
上記のように構成される本発明の好ましい第５実施例による成長促進及び関節と筋肉を弛緩させるベッド５０００は、ピニオンギア５３００の回転によるラックギア５２００の水平移動によって複数のマットレス５１００を独立的に移動させることができる。このように、複数のマットレス５１００を移動させると、使用者１の上体２と下体３を骨盤部分を基準として頭端部と足のツマ先方向に移動させて体を伸ばすことにより成長促進及び関節と筋肉を弛緩させるという効果を奏する。
【００５１】
以上、添付された図面を参照して本発明の実施例を説明したが、本発明が属する技術分野において通常の資格を有する者は本発明がその技術的思想や必須な特徴を変更しなくても他の具体的な形態で実施されることができることを理解すべきである。従って、以上で記述した実施例はあらゆる面で例示的なものであり、限定的なものでないことを理解すべきである。本発明の範囲は詳細な説明よりは後述する特許請求範囲によって定められ、特許請求範囲の意味及び範囲そしてその均等な概念から導出されるすべての変更または変形された形態が本発明の範囲に含まれるものに解釈すべきである。
【符号の説明】
【００５２】
１                                                使用者
２                                                上体
３                                                下体
１０００，２０００，３０００，４０００，５０００  ベッド
１００１，４００１，５００１                      ベッドフレーム
１００３，４００３，５００３                      制御パネル
１１００，２１００，３１００，４１００，５１００  ベッドマットレス部
１１１０                                          中間マットレス
１２００，２２００，３２００                      回転ローラー部
１２１０，２２１０，３２１０                      第１回転ローラー部
１２１１                                          上体回転ローラー
１２１５，１２２５，２２１７，２２２７，４２１７  駆動モーター
１２１３，１２２３，２２１５，２２２５            ベルト
１２２０，２２２０，３２２０                      第２回転ローラー部
１２２１                                          下体回転ローラー
２２１３，２２２３                                中間ギア
４２００                                          回転ベルト部
５１００                                          ベッドマットレス
５２００                                          ラックギア
５３００                                          ピニオンギア
【図１】
2017536966.tif 000003
【図２】
2017536966.tif 000004
【図３】
2017536966.tif 000005
【図４】
2017536966.tif 000006
【図５】
2017536966.tif 000007
【図６】
2017536966.tif 000008
【図７】
2017536966.tif 000009
【図８】
2017536966.tif 000010
【図９】
2017536966.tif 000011
【国際調査報告】
2017536966.tif 000012
2017536966.tif 000013
2017536966.tif 000014
2017536966.tif 000015